(57)【特許請求の範囲】
【請求項１】
扉の錠のラッチボルト及び／又はデッドボルトを係入させるため、扉枠又は両開き扉の他の扉に取り付けられるストライクにおいて；ストライク板とトロヨケとで形成される空間部に内側から順に作動板及び内ケースを装着すること；作動板は上下方向にのみ移動可能にすると共に、ラッチボルト及び／又はデッドボルトに対する係合部を有する内ケースは正面から見て左右方向にのみ移動可能にすること；作動板の上部又は下部には立ち上がり部を設けること；立ち上がり部に上下方向に向け調整ねじを螺合させること；調整ねじの頭部には工具係着部を設けると共に、その工具係着部は内ケース内に露出させること；調整ねじの先端はトロヨケの内面に当接させると共に、頭部は内ケースの外面に当接させること；内ケースの外底面には誘導突起を突設させること；及び、その誘導突起は作動板に設けた傾斜長孔に嵌挿させることを構成条件とする調整式ストライク。
【発明の詳細な説明】
【０００１】
【発明の属する技術分野】
この発明は、扉の錠のラッチボルト等を係入させるため、扉枠又は両開き扉における他の扉に取り付けられる調整式ストライクに関する。
【０００２】
【従来の技術】
調整用の回転軸をドライバ等で回すことにより、係合部を有する内ケースを調整できるようにした従来の調整式ストライクとしては、例えば、実公平６−１００５３号公報、特開平７−１３９２３１号公報等に記載されたものを挙げることができる。
【０００３】
これらのストライクでは、突出位置にあるラッチボルト等と内ケースの係合部との位置関係を適正に調整して風や振動による扉のがたつきを排除するについて、ストライクの取付け後に極めて簡単な操作でその排除を行うことができるので、なかなか便利である。
【０００４】
【発明が解決しようとする課題】
しかしながら、この種の従来のストライクにおいては、部品点数が多くコスト高となること、また、一部の部品では精度を高めなくてはならず製作が面倒であることなど、未解決の問題も残されている。
【０００５】
この発明においては、新規な機構の調整期ストライクを提案し、前記の問題点を悉く解決しようとするものである。
【０００６】
【課題を解決するための手段】
上記の目的を達成するため、この発明は、扉の錠のラッチボルト及び／又はデッドボルトを係入させるため、扉枠又は両開き扉の他の扉に取り付けられるストライクにおいて；ストライク板とトロヨケとで形成される空間部に内側から順に作動板及び内ケースを装着すること；作動板は上下方向にのみ移動可能にすると共に、ラッチボルト及び／又はデッドボルトに対する係合部を有する内ケースは正面から見て左右方向にのみ移動可能にすること；作動板の上部又は下部には立ち上がり部を設けること；立ち上がり部に上下方向に向け調整ねじを螺合させること；調整ねじの頭部には工具係着部を設けると共に、その工具係着部は内ケース内に露出させること；調整ねじの先端はトロヨケの内面に当接させると共に、頭部は内ケースの外面に当接させること；内ケースの外底面には誘導突起を突設させること；及び、その誘導突起は作動板に設けた傾斜長孔に嵌挿させることを構成条件とする。
【０００７】
【発明の実施の形態】
以下、図面に示す実施例に基いてこの発明について説明する。
この発明の調整式ストライクは、扉の錠のラッチボルト及び／又はデッドボルト（以下「ラッチボルト等」と略称する）を係入させるため、扉枠又は両開き扉における他の扉に取り付けて用いるものである。
【０００８】
図示例のストライクは、突出させたラッチボルト及びデッドボルトを共に受け入れられるようにした共用のもので、縦長に、すなわち上下方向に長く作られているが、ラッチボルト又はデッドボルトを単一で差し込むようにする場合はストライクの全長は勿論短くして製作することができる。
【０００９】
図１〜図４において、符号１はストライク板で、１１はラッチボルト等が差し込まれる開口、１２は扉枠又は他の扉に対する取付け用のねじ孔、１３は後記の内ケース４の舌片４２に対する案内溝である。
【００１０】
ストライク板１の後方に設けられる固定の外ケースであるトロヨケ２は、前方が開口された箱形をなし、上下部分には取付けのためのフランジ２１、２１を有する。符号２２は扉枠又は他の扉に対する取付け用のねじ孔、２３は後記の内ケース４の誘導突起４３が差し込まれて該内ケース４を案内する任意数の長孔である。
【００１１】
これら長孔２３はトロヨケ２の底板に正面から見て左右方向（水平）に穿設してある。但し、長孔２３はこの発明にとって必須ではない。その理由は内ケース４は他の案内手段によっても左右方向に案内できるからである。
【００１２】
ストライク板１とトロヨケ２とで形成される空間部には内側から順に作動板３及び内ケース４を可動な状態で装着する。換言すれば、トロヨケ２、作動板３、内ケース４及びストライク板１は、図４に示す矢印Ａ〜Ｃの順に重ね合わせて組み込まれる。
【００１３】
トロヨケ２に作動板３及び内ケース４を入れた後、トロヨケ２に固定されるストライク板１の固定手段としては、バーリングによるかしめ付け、溶接、取付ねじ等による締付けその他任意の手段を採用し得る。
【００１４】
作動板３はトロヨケ２の長さ方向の内法よりも短く形成し、トロヨケ２内で上下方向（縦方向）にのみ移動を可能にする。図示例においては、作動板３はトロヨケ２の内面及び内ケース４の外底面によって案内されトロヨケ２内で上下方向（矢印Ｐ方向）にのみ可動とされる。
【００１５】
作動板３の上部又は下部には折り曲げ加工等により立ち上がり部３１を設けると共に、作動板３の本体部分には後記の内ケース４の誘導突起４３が差し込まれて該内ケース４を誘導案内する任意数の傾斜長孔３２を穿設する。
【００１６】
更に、前記の立ち上がり部３１には上下方向に向け調整ねじ５を螺合させる。調整ねじ５の頭部にはドライバその他の工具の先端を係着させるための工具係着部５１を設けると共に、フランジ状の受け部５２を一体に設ける。そして、前記の工具係着部５１は後記の内ケース４の窓４４を通じて内ケース４内に露出させる。
【００１７】
内ケース４は前方が開口された箱形をなし、上下方向（縦方向）の内壁面の一方はラッチ等の背面が当接する係合部４１として作用する。内ケース４の開口部における両側部分には任意数のフランジ状をなす舌片４２を備えており、内ケース４の外底面にはピン状をなす任意数の誘導突起４３が突設してある。
【００１８】
内ケース４はトロヨケ２よりも幅狭とされて正面から見て左右方向（矢印Ｑ方向）にのみ移動可能とされている。
【００１９】
実施例の内ケース４は、内ケース４の舌片４２の内一部をストライク板１の案内溝１３に摺動自在に嵌め合わせた第１案内手段、及び内ケース４の誘導突起４３を作動板３の傾斜長孔３２を介してトロヨケ２の長孔２３に可動に嵌め合わせた第２案内手段により、左右方向に移動可能とされている。但し、内ケース４の左右方向への案内手段は図示例のものに限らず任意に設計できる。
【００２０】
ストライク板１の案内溝１３に嵌め合わされた内ケース４の舌片４以外の他の舌片４２は、ストライク板１の裏面とトロヨケ２の前方縁との間に設けた隙間２４に可動に嵌め込まれる。
【００２１】
図３に明示するように、トロヨケ２と内ケース４との間に挟まれて矢印Ｐ方向に上下動できるようにした作動板３には、その立ち上がり部３１に調整ねじ５が螺合させてある。
【００２２】
調整ねじ５の頭部の工具係着部５１は内ケース４に穿設した長孔その他の窓４４を通じて内ケース４内に露出させてある。
【００２３】
また、調整ねじ５の先端はトロヨケ２の内面に当接させると共に、該調整ねじ５の頭部は例えばフランジ状の受け部５２を介して内ケース４の外面に当接させてある。
【００２４】
前記の構造によれば、表側（正面側）からドライバ等の工具の先端を内ケース４内に差し込み調整ねじ５を回すことができる。その際、調整ねじ５は軸線の回りには回動できるが、その両端部がトロヨケ２の内面及び内ケース４の外面で拘束されている関係で軸線方向への移動は不能である。
【００２５】
そのため、調整ねじ５に対し立ち上がり部３１において螺合させてある作動板３はそのねじ５の右又は左回りの回動に伴って矢印Ｐで示すように上下に変位する。
【００２６】
そして、作動板３の傾斜長孔３２と内ケース４の誘導突起４３との係合により、内ケース４を矢印Ｑで示すように左右方向に変位させる。
【００２７】
前記の作用により、内ケース４の係合部４１はラッチボルト等に対し適正位置を占めることができるよう調整されることになり、扉の閉鎖時ラッチボルト等との間にがたつきを生じさせないようにすることができる。
【００２８】
【発明の効果】
以上に説明したこの発明の調整式ストライクによれば、調整用のねじをドライバ等の工具で回すだけで、ラッチボルト等に対する係合部を有する内ケースの水平方向の位置を容易に調整でき、扉のがたつきを無くすようにしてあるに関わらず、全体を構成する部品数が少なく、特に精度を高くしなければならないような部品もないので、製作が簡単でコストダウンが計れるなどの効果を奏する。
【図面の簡単な説明】
【図１】この発明の調整式ストライクの実施例を示す正面図。
【図２】図１のＩＩ−ＩＩ線による横断底面図。
【図３】図１のＩＩＩ−ＩＩＩ線による縦断側面図。
【図４】図１に示すストライクの分解正面図。
【符号の説明】
１  ストライク板
２  トロヨケ
３  作動板
３１  立ち上がり部
３２  傾斜長孔
４  内ケース
４１  係合部
４３  案内突起
５  調整ねじ
５１  工具係着部
【図１】
0003838587.tif 000002
【図２】
0003838587.tif 000003
【図３】
0003838587.tif 000004
【図４】
0003838587.tif 000005